(57)【要約】【課題】本発明は、車両用動作監視システムに関し、アクセサリスイッチのオン操作前や車両エンジンのスタータ始動による大電力負荷作動時にも車両の動作状態の監視を実現させることにある。【解決手段】自車両に対応した携帯機が車外の所定範囲内に進入したことを検知することにより、車両使用者の車両への接近を検知する。そして、その接近が検知されたときに、ＥＣＵ１２の有する内部データの、車載レコーダ装置１０のデータ記憶部２０への収集・記録を開始させる。また、このデータ記録の際、アクセサリ電源ＡＣＣとは別に設けられた補助バッテリ２２を用いて、データ記憶部２０への電源供給を行う。【選択図】図１
2010064722.tif 000002
【特許請求の範囲】
【請求項１】
車両使用者の車両への接近を検知する乗員接近検知手段と、
前記乗員接近検知手段により前記接近が検知されたときに、車両の動作状態を監視する処理を開始する動作監視手段と、
を備えることを特徴とする車両用動作監視システム。
【請求項２】
前記動作監視手段は、前記乗員接近検知手段により前記接近が検知されたときに起動され、以後、車載バッテリから電源供給されることを特徴とする請求項１記載の車両用動作監視システム。
【請求項３】
前記動作監視手段は、また、アクセサリオン操作又はイグニションオン操作が行われた以後、前記処理を行ううえで前記車載バッテリ及びアクセサリ電源若しくはイグニション電源から電源供給されることを特徴とする請求項２記載の車両用動作監視システム。
【請求項４】
前記車載バッテリは、少なくとも前記乗員接近検知手段による前記接近の検知から車両エンジンの始動が完了するまで前記動作監視手段へ電源供給可能な補助バッテリであることを特徴とする請求項３記載の車両用動作監視システム。
【請求項５】
前記動作監視手段は、車両の動作状態を記録可能なレコーダ装置を有し、
前記処理は、前記乗員接近検知手段による前記接近の検知後に検出される車両の動作状態を前記レコーダ装置に記録することであることを特徴とする請求項１乃至４の何れか一項記載の車両用動作監視システム。
【請求項６】
前記処理は、前記乗員接近検知手段による前記接近の検知後に車両の動作状態を診断するダイアグ処理を行うことであることを特徴とする請求項１乃至４の何れか一項記載の車両用動作監視システム。
【請求項７】
前記乗員接近検知手段は、自車両に対応した携帯機が車外の所定範囲内に進入したこと又は車両ドアが解錠され若しくは開けられたことを車両使用者の車両への接近として検知することを特徴とする請求項１乃至３の何れか一項記載の車両用動作監視システム。
【発明の詳細な説明】
【技術分野】
【０００１】
本発明は、車両用動作監視システムに係り、特に、車両使用者の乗車の際に車両の動作状態を監視するうえで好適な車両用動作監視システムに関する。
【背景技術】
【０００２】
従来、車両の動作状態を統括して監視すべく、各車載電子制御ユニット（以下、ＥＣＵと称す）の有するその動作状態を示すデータ（例えば、正常情報、センサ値、異常情報、及びフェールセーフ値など）を記録部に記録させる車載システムが知られている（例えば、特許文献１参照）。この車載システムにおいて、記録部及び各ＥＣＵは、互いに通信バスを介して接続されていると共に、記録部は、ナビゲーション装置に設けられている。この車載システムにおいて、記録部に記録すべきデータは各ＥＣＵから通信バスへ送信され、その通信バスに送信されたデータは記録部に記録される。
【特許文献１】特開２００６−３１５４２７号公報
【発明の開示】
【発明が解決しようとする課題】
【０００３】
ところで、ＥＣＵには、車両使用者の携帯する携帯機からの信号を受信して車両ドアを解錠させるものや車両ドアの開閉によりドアカーテシランプを点灯させるものがある。しかし、上記の如く記録部が設けられるナビゲーション装置は、一般的に、アクセサリスイッチのオン操作によってアクセサリ電源が供給されなければ起動しないので、アクセサリスイッチがオン状態になる前は、上記したＥＣＵ（具体的には、＋Ｂ電源で動作可能なＥＣＵ）から記録部に記録すべきデータが送信されたとしても、そのデータを受信することはできない。このため、上記した車載システムでは、アクセサリスイッチのオン前にＥＣＵのデータを記録部に記録することができないことがある。また、アクセサリスイッチがオン状態となったとしてもその後ナビゲーション装置の起動が完了するまでには時間を要するので、その間もＥＣＵのデータを記録部に記録することができない。
【０００４】
また、車両エンジンのスタータ始動などの大電力負荷が作動すると、バッテリ電圧が低下し、ＥＣＵやナビゲーション装置への印加電圧が動作電圧を下回ることがあり、この場合は、ＥＣＵやナビゲーション装置がリセットし又は一時停止するので、アクセサリ電源やイグニション電源で動作可能なもの（例えばエンジンＥＣＵ）を含むＥＣＵのデータが記録部に記録されないこととなる。
【０００５】
本発明は、上述の点に鑑みてなされたものであり、アクセサリスイッチのオン操作前から又は大電力負荷作動時にも車両の動作状態の監視を実現させることが可能な車両用動作監視システムを提供することを目的とする。
【課題を解決するための手段】
【０００６】
上記の目的は、車両使用者の車両への接近を検知する乗員接近検知手段と、前記乗員接近検知手段により前記接近が検知されたときに、車両の動作状態を監視する処理を開始する動作監視手段と、を備える車両用動作監視システムにより達成される。
【０００７】
この態様の発明においては、車両使用者の車両への接近が検知されたときに、車両の動作状態を監視する処理が開始される。車両使用者が車両へ接近した段階で車両の動作状態を監視する処理が開始されれば、その車両使用者の車両への接近からその動作状態の監視が可能となる。従って、本発明によれば、アクセサリスイッチのオン操作やエンジン始動の前から車両の動作状態の監視を実現させることができる。
【０００８】
尚、上記した車両用動作監視システムにおいて、前記動作監視手段は、前記乗員接近検知手段により前記接近が検知されたときに起動され、以後、車載バッテリから電源供給されることとしてもよい。
【０００９】
この態様の発明において、動作監視手段は、車両使用者の接近検知により起動され、以後、車載バッテリから電源供給される。このため、車両使用者の接近時から車載バッテリによる電源供給により車両の動作状態の監視を実現することが可能となる。
【００１０】
また、上記した車両用動作監視システムにおいて、前記動作監視手段は、また、アクセサリオン操作又はイグニションオン操作が行われた以後、前記処理を行ううえで前記車載バッテリ及びアクセサリ電源若しくはイグニション電源から電源供給されることとしてもよい。
【００１１】
この態様の発明において、動作監視手段は、アクセサリスイッチ又はイグニションスイッチのオン操作が行われた以後、車載バッテリ及びアクセサリ電源若しくはイグニション電源から電源供給される。このため、アクセサリオン後やイグニションオン後はアクセサリ電源やイグニション電源による電源供給によっても車両の動作状態の監視を実現することが可能となる。
【００１２】
また、上記した車両用動作監視システムにおいて、前記車載バッテリは、少なくとも前記乗員接近検知手段による前記接近の検知から車両エンジンの始動が完了するまで前記動作監視手段へ電源供給可能な補助バッテリであることとしてもよい。
【００１３】
この態様の発明においては、アクセサリスイッチやイグニションスイッチがオン操作されなくても、また、車両エンジンのスタータ始動により大電力負荷が作動しても、動作監視手段への電源供給が可能となり、車両の動作状態の監視が可能となる。従って、本発明によれば、アクセサリスイッチのオン操作前からでもまた車両エンジンのスタータ始動による大電力負荷作動時にも車両の動作状態の監視を実現させることができる。
【００１４】
また、上記した車両用動作監視システムにおいて、前記動作監視手段は、車両の動作状態を記録可能なレコーダ装置を有し、前記処理は、前記乗員接近検知手段による前記接近の検知後に検出される車両の動作状態を前記レコーダ装置に記録することであることとしてもよい。
【００１５】
この態様の発明においては、車両使用者の車両への接近が検知されたときに、以後に検出される車両の動作状態のレコーダ装置への記録が開始される。車両使用者が車両へ接近した段階で以後に検出される車両の動作状態のレコーダ装置への記録が開始されれば、その車両使用者の車両への接近からその記録が可能となる。従って、本発明によれば、アクセサリスイッチのオン操作やエンジン始動の前から、車両使用者の車両への接近後の車両の動作状態をレコーダ装置に記録させることができる。
【００１６】
また、上記した車両用動作監視システムにおいて、前記処理は、前記乗員接近検知手段による前記接近の検知後に車両の動作状態を診断するダイアグ処理を行うことであることとしてもよい。
【００１７】
この態様の発明においては、車両使用者の車両への接近が検知されたときに、以後に車両の動作状態を診断するダイアグ処理が開始される。車両使用者が車両へ接近した段階で以後、ダイアグ処理が開始されれば、その車両使用者の車両への接近からその動作状態の診断が可能となる。従って、本発明によれば、アクセサリスイッチのオン操作やエンジン始動の前から、車両使用者の車両への接近後の車両の動作状態を診断させることができる。
【００１８】
更に、上記した車両用動作監視システムにおいて、前記乗員接近検知手段は、自車両に対応した携帯機が車外の所定範囲内に進入したこと又は車両ドアが解錠され若しくは開けられたことを車両使用者の車両への接近として検知することとしてもよい。
【発明の効果】
【００１９】
本発明によれば、アクセサリスイッチのオン操作前から又は車両エンジンのスタータ始動による大電力負荷作動時にも車両の動作状態の監視を実現させることができる。
【発明を実施するための最良の形態】
【００２０】
以下、図面を用いて、本発明の具体的な実施の形態について説明する。
【００２１】
図１は、本発明の一実施例である車両用動作監視システムが搭載された車載システムの構成図を示す。この車載システムは、車載レコーダ装置１０と、マイクロコンピュータを主体に構成された複数の車載電子制御ユニット（以下、ＥＣＵと称す）１２と、車載レコーダ装置１０及び複数のＥＣＵ１２を互いに接続させた通信バス１４と、を備えた車載通信ネットワークシステムである。
【００２２】
通信バス１４は、例えばＣＡＮなどの一対の通信線でデータを伝送する双方向通信に用いられる時分割多重通信線である。通信バス１４には、予め定められた通信プロトコルに応じたデータフレームが流れる。通信バス１４には、各ＥＣＵ１２間やＥＣＵ１２と車載レコーダ装置１０との間で授受すべきデータが伝送される。
【００２３】
各ＥＣＵ１２は、演算処理部であるコントローラ部と、各種のプログラムを格納する内部メモリと、各種車載センサやスイッチなどに接続するＩ／Ｏインタフェースと、通信バス１４に接続する通信インタフェースと、を有している。
【００２４】
各ＥＣＵ１２は、車両のイグニションスイッチオフ時には動作不可能である一方でイグニションスイッチオン時にイグニション電源から電源供給されて動作可能となるパワトレ系及びシャシ系のもの（ＩＧ系ＥＣＵ）、車両のアクセサリスイッチオフ時には動作不可能である一方でアクセサリスイッチオン時にアクセサリ電源（ＡＣＣ）から電源供給されて動作可能となるアクセサリ系のもの（ＡＣＣ系ＥＣＵ）、又は、車両のイグニションやアクセサリのスイッチオフ時及びスイッチオン時の双方で車両に搭載されたバッテリから電源供給されて動作可能となるボデー系のもの（＋Ｂ系ＥＣＵ）である。
【００２５】
ＥＣＵ１２のうちＩＧ系ＥＣＵ１２としては、エンジン制御を行うエンジンＥＣＵやブレーキ制御を行うブレーキＥＣＵ，ステアリング舵角を検知するステアリングセンサなどがあり、ＡＣＣ系ＥＣＵ１２としては、ナビゲーションＥＣＵやオーディオＥＣＵなどがあり、また、＋Ｂ系ＥＣＵ１２としては、車両ドアの開閉やロックを制御するドアＥＣＵやボデーＥＣＵなどがある。尚、＋Ｂ系ＥＣＵ１２には、少なくとも、車両使用者の携帯する携帯機と無線通信を行う送受信機１６が接続された、その無線通信により受信された携帯機からのＩＤコードの照合を行う照合ＥＣＵ１２ａが含まれている。
【００２６】
各ＥＣＵ１２はそれぞれ、電源オンやスイッチ入力，他のＥＣＵ１２からのバスエッジ受信などのイベント発生が検知されると初期化を行い、その初期化が完了した起動後に通信バス１４を介した通信が可能となる。また、特に、＋Ｂ系ＥＣＵ１２は、車両のアクセサリやイグニションのスイッチオフ時においてそのスイッチオンやドア開，電波信号受信，他のＥＣＵ１２からのバスエッジ受信などのイベント発生が長期間検知されないときは、消費電力の低減のための処理を行うスリープモードになると共に、そのアクセサリやイグニションのスイッチオフ時のスリープモードにおいてイベント発生が検知されたときは、そのスリープモードを解除して初期化を行い、その初期化が完了した起動後に通信バス１４を介した通信が可能となるウェイクアップモードになる。
【００２７】
各ＥＣＵ１２はそれぞれ、電源供給されかつ通信バス１４を介した通信が可能な状況において（すなわち、その起動後）、定期的に或いは所定のイベント発生検知時に、自ＥＣＵ１２内で検知又は生成されたデータを、予め定められた他のＥＣＵ１２宛で通信バス１４へ向けて送出する機能を有している。また、各ＥＣＵ１２はそれぞれ、その起動後、定期的に（或いは常時）、自ＥＣＵ１２の処理において得られる車両の動作状態について正常・異常を診断するダイアグ処理を行う機能を有すると共に、そのダイアグ処理により車両の動作状態について異常が検出された場合に、その異常動作状態を示すダイアグデータ（ダイアグコード）を車載レコーダ装置１０宛で通信バス１４へ向けて送出する機能を有している。
【００２８】
上記した照合ＥＣＵ１２ａは、車両のアクセサリやイグニションのスイッチオフ時及びスイッチオン時の双方で動作可能な＋Ｂ系ＥＣＵであって、車両使用者の携帯する携帯機と無線通信を行う送受信機１６が接続されたＥＣＵである。照合ＥＣＵ１２ａは、正規の車両使用者が対応の携帯機を携帯して車両に接近するとドアロックが自動的に解除され、車両から遠ざかるとドアロックが自動的になされるいわゆるスマートエントリ機能を少なくとも有するスマートキーシステムに用いられる。
【００２９】
照合ＥＣＵ１２ａは、アクセサリやイグニションのスイッチオフ時のスリープモードにおいて定期的に携帯機の応答を要求するリクエスト信号を送受信機１６から車外へ無線送信する。このリクエスト信号の送信領域は、車両（特に車両ドアノブ）を中心にして車外方向へ所定範囲（例えば１メートル）に予め定められている。このため、携帯機は、車両周囲に形成された車両から発せられるリクエスト信号の送信領域内に位置しなければそのリクエスト信号を受信することはできず、そのリクエスト信号に応答した自己のＩＤコードを含むレスポンス信号を無線送信することはできない。一方、携帯機は、車両からのリクエスト信号の送信領域内に位置する場合はそのリクエスト信号を受信することができ、そのリクエスト信号に応答した自己のＩＤコードを含むレスポンス信号を無線送信することができる。
【００３０】
照合ＥＣＵ１２ａは、定期的なリクエスト信号の無線送信に対して携帯機から発せられるレスポンス信号が送受信機１６で受信されるか否かを検知すると共に、レスポンス信号の受信が検知された場合は、そのレスポンス信号に含まれるＩＤコードが自車両に対応したものであるか否かを照合する。ＩＤコードが一致する場合は、自車両に対応する携帯機が車両近傍の予め定められた所定範囲に進入した、すなわち、正規の車両使用者が自車両に接近したと判断でき、一方、レスポンス信号が受信されない或いはＩＤコードが一致しない場合は、自車両に対応する携帯機が車両近傍の予め定められた所定範囲に進入することない、すなわち、正規の車両使用者が自車両に接近していないと判断できる。
【００３１】
また、車載レコーダ装置１０は、車両のナビゲーション装置に設けられている。このナビゲーション装置は、車両のアクセサリスイッチオフ時には動作不可能である一方でアクセサリスイッチオン時にアクセサリ電源ＡＣＣから電源供給されて動作可能となる機器であるので、車載レコーダ装置１０は、通常は、アクセサリ電源ＡＣＣが供給されることにより作動可能となる。尚、車載レコーダ装置１０は、ナビゲーション装置に設けられるものに限定されるものではなく、ナビゲーション装置とは独立して通信バス１４に接続される単体の装置であってもよい。
【００３２】
車載レコーダ装置１０は、演算処理部であるコントローラ部と、各種のプログラムを格納する内部メモリと、各種車載センサやスイッチなどに接続するＩ／Ｏインタフェースと、通信バス１４に接続する通信インタフェースと、を有している。
【００３３】
車載レコーダ装置１０は、また、不揮発性のデータ記憶部２０を備えている。データ記憶部２０は、ナビゲーション装置において地図データ等を格納するハードディスクの一部であり、後述の如く各ＥＣＵ１２の有するセンサ値や正常情報，異常情報，フェールセーフ値などの内部データ（ダイアグデータ）を格納する記憶領域である。コントローラ部は、各ＥＣＵ１２から通信バス１４を介して送信されるダイアグデータをデータ記憶部２０に記録させる。
【００３４】
車載レコーダ装置１０には、アクセサリ電源ＡＣＣに並列に接続された補助バッテリ２２が内蔵されている。補助バッテリ２２は、アクセサリ電源ＡＣＣとは別にかつ車載の＋Ｂ電源とは別に、車載レコーダ装置１０に電源供給することが可能な電源であって、アクセサリスイッチオンのときにアクセサリ電源ＡＣＣの供給により充電され、アクセサリスイッチオフのときに放電されて車載レコーダ装置１０に電源供給できるキャパシタである。補助バッテリ２２は、少なくとも、アクセサリスイッチオフ時に各ＥＣＵ１２から供給されるダイアグデータをデータ記憶部２０に記憶させるのに必要な電力を供給可能な容量を有している。この点、車載レコーダ装置１０は、アクセサリスイッチオン時にはアクセサリ電源ＡＣＣの供給によりまたアクセサリスイッチオフ時には補助バッテリ２２からの電源供給により、ＥＣＵ１２から通信バス１４を介して送られるダイアグデータをデータ記憶部２０に記録することが可能である。
【００３５】
次に、図２を参照して、本実施例の車両用動作監視システムの動作について説明する。図２は、本実施例の車両用動作監視システムにおいて実行される制御ルーチンの一例のフローチャートを示す。
【００３６】
本実施例において、各ＥＣＵ１２はそれぞれ、自ＥＣＵ１２に接続された電源からの電源投入により初期化されると、その初期化が完了した起動後、通信バス１４を介した通信が可能となる。そして、各ＥＣＵ１２はそれぞれ、電源供給されかつ通信バス１４を介した通信が可能な状況において定期的に或いは所定のイベント発生検知時に、他のＥＣＵ１２や車載レコーダ装置１０宛のデータを含むデータフレームを通信バス１４へ向けて送出する。通信バス１４へ送出されたデータフレームは、通信バス１４を流れた後、送信先のＥＣＵ１２に受信され、そして、そのデータフレームに含まれるデータは、そのＥＣＵ１２や車載レコーダ装置１０において使用される。
【００３７】
具体的には、本実施例において、照合ＥＣＵ１２ａは、スリープモード時に定期的なリクエスト信号の無線送信に対して携帯機から発せられるレスポンス信号が送受信機１６で受信されるか否かを検知すると共に、携帯機からのレスポンス信号の受信が検知された場合は、そのレスポンス信号に含まれるＩＤコードが自車両に対応したものであるか否かを照合する。
【００３８】
そして、照合ＥＣＵ１２ａは、スリープモード時に送受信機１６において携帯機からのレスポンス信号を受信して、そのレスポンス信号に含まれるＩＤコードが自車両に対応したものに一致すると判別し、正規の車両使用者が自車両に接近したと判断した場合（ステップ１００における肯定判定時）は、スリープモードを解除して起動する（ステップ１０２）。そしてその起動後、他の＋Ｂ系ＥＣＵ１２（例えば後述のドアＥＣＵやランプＥＣＵ）及び車載レコーダ装置１０をウェイクアップさせるウェイクアップ信号を通信バス１４へ送出する（ステップ１０４）。
【００３９】
この他の＋Ｂ系ＥＣＵ１２及び車載レコーダ装置１０はそれぞれ、スリープモードにおいて通信バス１４を介してウェイクアップ信号を受信すると（ステップ１５０）、そのスリープモードを解除して起動する（ステップ１５２）。この際、＋Ｂ系ＥＣＵ１２は、車載バッテリから電源供給されることにより起動して、その起動後、通信バス１４を介した通信が可能となると共に、自ＥＣＵ１２内での処理が可能となる。また、車載レコーダ装置１０は、補助バッテリ２２から電源供給されることにより起動して、その起動後、通信バス１４を介した通信が可能となると共に、各ＥＣＵ１２から通信バス１４を介して送られるダイアグデータのデータ記憶部２０への記録が可能となる。
【００４０】
照合ＥＣＵ１２ａは、スリープモードから正規の車両使用者が自車両に接近したと判断して起動した後、他の＋Ｂ系ＥＣＵ１２及び車載レコーダ装置１０がすべて起動する起動時間が経過すると、その経過後、＋Ｂ系ＥＣＵ１２である車両ドアの開閉やロックを制御するドアＥＣＵ宛のドアロックの解除を要求する指令信号を含むデータフレームを通信バス１４へ送出する。この場合、ドアＥＣＵは、起動後、照合ＥＣＵ１２ａから通信バス１４を介してドアロックの解除を要求する指令信号を受信すると、車両ドアをロック状態からアンロック状態に移行させる。
【００４１】
尚、照合ＥＣＵ１２ａは、上記した起動時間の経過後、同時に、＋Ｂ系ＥＣＵ１２であるハザードランプの点灯を制御するランプＥＣＵ宛のランプ点灯を要求する指令信号を通信バス１４に送出することとしてもよい。この場合、ランプＥＣＵは、起動後、照合ＥＣＵ１２ａから通信バス１４を介してランプ点灯を要求する指令信号を受信すると、ハザードランプを点灯させる。
【００４２】
また、各ＥＣＵ１２はそれぞれ、その起動後、定期的に（常時）、自ＥＣＵ１２の処理において得られる車両の動作状態について正常・異常を診断するダイアグ処理を行う。そして、そのダイアグ処理により車両の動作状態について異常が検出された場合に、その異常動作状態を示すダイアグデータを含むデータフレームを車載レコーダ装置１０宛で通信バス１４へ向けて送出する。
【００４３】
例えば、照合ＥＣＵ１２ａ及びその他の＋Ｂ系ＥＣＵ１２はそれぞれ、その起動後に定期的にダイアグ処理を行い、上記した起動時間の経過後、そのダイアグ処理の結果として異常動作状態を示すダイアグデータを含むデータフレームを通信バス１４へ送出する。また、＋Ｂ系ＥＣＵ１２以外のＡＣＣ系ＥＣＵ１２やＩＧ系ＥＣＵ１２は、アクセサリスイッチのオン操作又はイグニションスイッチのオン操作によってアクセサリ電源ＡＣＣ又はイグニション電源ＩＧが供給されることにより起動され、その起動後に定期的にダイアグ処理を行い、そのダイアグ処理の結果として異常動作状態を示すダイアグデータを含むデータフレームを通信バス１４へ送出する。
【００４４】
各ＥＣＵ１２から通信バス１４へ送出されたこのダイアグデータを含むデータフレームは、通信バス１４を流れた後、送信先の車載レコーダ装置１０に受信されることとなる。車載レコーダ装置１０は、その起動が完了していなければ、各ＥＣＵ１２から通信バス１４を介して送られる自己宛のダイアグデータを含むデータフレームを受信することはできないが、その起動が完了していれば、そのダイアグデータを含むデータフレームを受信することは可能である。
【００４５】
車載レコーダ装置１０のコントローラ部は、補助バッテリ２２からの電源供給による起動後、アクセサリスイッチのオン操作まで（すなわち、アクセサリ電源ＡＣＣからの電源供給が開始されるまで）は、その補助バッテリ２２から電源供給されることにより、各ＥＣＵ１２からのダイアグデータをデータ記憶部２０に記録することが可能である。また、アクセサリスイッチのオン操作後（すなわち、アクセサリ電源ＡＣＣからの電源供給開始後）は、その補助バッテリ２２及びアクセサリ電源ＡＣＣの双方から電源供給されることにより、各ＥＣＵ１２からのダイアグデータをデータ記憶部２０に記録することが可能である。
【００４６】
車載レコーダ装置１０のコントローラ部は、起動後、アクセサリスイッチのオン操作までに、ＥＣＵ１２から通信バス１４を介してダイアグデータを含むデータフレームを受信すると（ステップ１５４における肯定判定時）、補助バッテリ２２からの電源供給により、そのＥＣＵ１２からの異常動作状態を示すダイアグデータをデータ記憶部２０に記録させる（ステップ１５６）。
【００４７】
また、起動後、アクセサリスイッチのオン後に、ＥＣＵ１２から通信バス１４を介してダイアグデータを含むデータフレームを受信すると（ステップ１５４における肯定判定時）、原則として、アクセサリ電源ＡＣＣからの電源供給により、そのＥＣＵ１２からの異常動作状態を示すダイアグデータをデータ記憶部２０に記録させる（ステップ１５６）。但し、起動後、アクセサリスイッチのオン後に、ＥＣＵ１２から通信バス１４を介してダイアグデータを含むデータフレームを受信する際に、アクセサリ電源ＡＣＣがエンジン始動に伴う電圧低下を起こしているときは、補助バッテリ２２からの電源供給により、そのダイアグデータのデータ記憶部２０への記録を行う。尚、アクセサリスイッチのオン時は、アクセサリ電源ＡＣＣの供給により補助バッテリ２２が充電される。
【００４８】
このように、各ＥＣＵ１２から通信バス１４へ送出されたこのダイアグデータを含むデータフレームは、車載レコーダ装置１０の起動が完了していれば、その車載レコーダ装置１０のデータ記憶部２０に時刻などの情報とリンクされて格納される。
【００４９】
更に、各＋Ｂ系ＥＣＵ１２は、アクセサリやイグニションのスイッチオフ時において消費電力低減のためのスリープ条件が成立すると、スリープモードになる。アクセサリやイグニションのスイッチオフ時においてすべての＋Ｂ系ＥＣＵ１２がスリープモードになると、通信バス１４が消費電力の低減のためスリープする。通信バス１４がスリープすると、車載レコーダ装置１０のコントローラ部は、そのスリープを検知して（ステップ１５８）、各ＥＣＵ１２からのダイアグデータのデータ記憶部２０への記録を終了する（ステップ１６０）。
【００５０】
このように、本実施例の車両用動作監視システムにおいては、照合ＥＣＵ１２ａで正規の車両使用者が携帯する携帯機からのレスポンス信号に含まれるＩＤコードの照合により正規の車両使用者が自車両に接近したことが検知された場合に、その照合ＥＣＵ１２ａに、車載レコーダ装置１０及び他の＋Ｂ系ＥＣＵ１２をスリープモードからウェイクアップさせるウェイクアップ信号を通信バス１４へ送出させることができ、そして、車載レコーダ装置１０及び他の＋Ｂ系ＥＣＵ１２を、その通信バス１４を介したウェイクアップ信号の受信によりそのスリープモードを解除させて起動させることができる。
【００５１】
上記の如く、＋Ｂ系ＥＣＵ１２は、ウェイクアップ信号の受信により車載バッテリからの電源供給がなされて起動され、その起動後、定期的にダイアグ処理を行い、そのダイアグ処理の結果として異常動作状態が検知された場合に、その異常動作状態を示すダイアグデータを含むデータフレームを通信バス１４へ送出する。また、車載レコーダ装置１０は、ウェイクアップ信号の受信により補助バッテリ２２からの電源供給がなされて起動され、その起動後、通信バス１４を介した通信が可能であり、具体的には、各ＥＣＵ１２の送信するダイアグデータを含むデータフレームを通信バス１４を介して受信することが可能である。
【００５２】
この点、本実施例のシステムにおいては、正規の車両使用者が自車両に接近したことが検知された場合に、その検知後、＋Ｂ系ＥＣＵ１２のダイアグ処理において得られる車両の異常動作状態を示すダイアグデータを含むデータフレームを、そのＥＣＵ１２から通信バス１４を介して車載レコーダ装置１０へ送ることができると共に、そのダイアグデータを車載レコーダ装置１０のデータ記憶部２０に記録させることができる。すなわち、正規の車両使用者の自車両への接近により、＋Ｂ系ＥＣＵ１２から送られるそのダイアグ処理により得られる車両の異常動作状態を示すダイアグデータのデータ記憶部２０への記録を開始させることができる。
【００５３】
そして、その後、アクセサリスイッチのオン操作が行われてアクセサリ電源ＡＣＣから車載レコーダ装置１０へ電源供給されることとなった場合は、以後、そのアクセサリ電源ＡＣＣの供給により、＋Ｂ系ＥＣＵ１２と共にＡＣＣ系ＥＣＵ１２やＩＧ系ＥＣＵ１２を含む各ＥＣＵ１２から送られるその異常動作状態を示すダイアグデータをデータ記憶部２０に記録させることができる。
【００５４】
従って、本実施例の車両用動作監視システムによれば、車両使用者が自車両へ接近した時点から、すなわち、車載レコーダ装置１０の設けられるナビゲーション装置が起動されるアクセサリスイッチのオン操作前（アクセサリ電源ＡＣＣの供給前）や車両エンジンの始動前から、車両使用者の自車両への接近後に各ＥＣＵ１２でのダイアグ処理により得られる車両の異常動作状態を示すダイアグデータを、車載レコーダ装置１０のデータ記憶部２０へ記録させることができる。
【００５５】
このため、かかるシステムによれば、アクセサリスイッチやイグニションスイッチのオフ時でも、動作可能な＋Ｂ系ＥＣＵ１２の起動後に実行されるダイアグ処理に伴って得られる車両の異常動作状態を示すダイアグデータを、車載レコーダ装置１０のデータ記憶部２０に記録することができ、これにより、＋Ｂ系ＥＣＵ１２の処理において得られる車両の動作状態の監視を実現することができる。
【００５６】
また、アクセサリスイッチがオフからオンに移行した後、アクセサリ電源ＡＣＣからの電源供給によりナビゲーション装置の起動が開始されてからその起動が完了するまでの間でも、補助バッテリ２２からの電源供給により＋Ｂ系ＥＣＵ１２のダイアグデータを車載レコーダ装置１０のデータ記憶部２０に記録することができ、これにより、アクセサリスイッチのオフからオンへの移行時、その移行からナビゲーション装置の起動完了までに＋Ｂ系ＥＣＵ１２のダイアグデータがデータ記憶部２０に記録されない事態（記録漏れ）が生ずるのを防止することができる。
【００５７】
更に、アクセサリスイッチがオフからオンに移行した後、アクセサリ電源ＡＣＣの供給電圧低下が生じた場合にも、車載レコーダ装置１０への電源供給を補助バッテリ２２を用いて継続することができるので、アクセサリ電源ＡＣＣの供給電圧低下に起因した車載レコーダ装置１０自体のリセット起動を防止することができ、この点でも、Ｂ系ＥＣＵ１２のダイアグデータがデータ記憶部２０に記録されない事態（記録漏れ）が生ずるのを防止することができる。
【００５８】
本実施例において、各ＥＣＵ１２のダイアグデータのデータ記憶部２０への記録は、アクセサリスイッチのオン操作後にアクセサリ電源ＡＣＣの電源供給により実現されるだけでなく、アクセサリスイッチのオン操作前からでも補助バッテリ２２の電源供給によって実現される。補助バッテリ２２は、アクセサリ電源ＡＣＣの供給により充電されるバッテリであり、アクセサリスイッチオフ時にも車載レコーダ装置１０へ向けて電源供給可能である。このため、アクセサリスイッチがオン状態になくても、更には、車両エンジンを始動させるスタータ始動などの大電力負荷が作動しても（すなわち、大電力負荷の作動に起因して車載バッテリの＋Ｂ電源やアクセサリ電源ＡＣＣ，イグニション電源の電圧低下が生じても）、補助バッテリ２２を用いて、車載レコーダ装置１０のデータ記憶部２０への安定的な電源供給が可能であり、従って、ＥＣＵ１２のダイアグデータのそのデータ記憶部２０への記録を確実に行うことが可能となっており、各ＥＣＵ１２の処理において得られる車両の動作状態の監視を実現することが可能となっている。
【００５９】
更に、本実施例において、ＥＣＵ１２のダイアグデータのデータ記憶部２０への記録は、通信バス１４がスリープするまで継続され、通信バス１４がスリープすると終了される。アクセサリオフ又はイグニションオフにおいてすべての＋Ｂ系ＥＣＵ１２がスリープモードとなり通信バス１４がスリープすると、＋Ｂ系ＥＣＵ１２がウェイクアップモードとなって通信バス１４がウェイクアップするまで、通信バス１４におけるデータ流通は行われないので、ダイアグデータのデータ記憶部２０への記録を行う必要性はあまりない。従って、本実施例のシステムによれば、ＥＣＵ１２のダイアグデータのデータ記憶部２０への記録を効率的に行うことが可能となっている。
【００６０】
ところで、上記の実施例においては、補助バッテリ２２が特許請求の範囲に記載した「車載バッテリ」に、車載レコーダ装置１０が特許請求の範囲に記載した「レコーダ装置」に、それぞれ相当していると共に、照合ＥＣＵ１２ａが、スリープモードにおいて携帯機からのレスポンス信号を受信して、そのレスポンス信号に含まれるＩＤコードが自車両に対応したものに一致するか否かを判別して、自車両に対応する携帯機が車両近傍の予め定められた所定範囲に進入したことすなわち正規の車両使用者が自車両に接近したことを検知することにより特許請求の範囲に記載した「乗員接近検知手段」が、車載レコーダ装置１０のコントローラ部が、照合ＥＣＵ１２ａからのウェイクアップ信号を受信して、スリープモードを解除して起動し、その起動後、補助バッテリ２２からの電源供給により、ＥＣＵ１２から送られる車両使用者の接近後に検出される車両の異常動作状態を示すダイアグデータを車載レコーダ装置１０のデータ記憶部２０に記録可能とすることにより特許請求の範囲に記載した「動作監視手段」が、それぞれ実現されている。
【００６１】
尚、上記の実施例においては、アクセサリスイッチオフ時に実行されるダイアグ処理により得られる＋Ｂ系ＥＣＵ１２のダイアグデータを、補助バッテリ２２を用いて車載レコーダ装置１０のデータ記憶部２０へ記録することとしているが、本発明はこれに限定されるものではなく、その補助バッテリ２２に代えて、車両に搭載された車両に＋Ｂ電源を供給する車載バッテリを用いてその記録を実現させることとしてもよい。
【００６２】
また、上記の実施例においては、各ＥＣＵ１２から送られる車両の異常動作状態を示すダイアグデータを記録する車載レコーダ装置１０を車両に搭載するものとし、車両使用者の自車両への接近が検知されたときに、その後に各ＥＣＵ１２から送られるそのダイアグデータの、その車載レコーダ装置１０のデータ記憶部２０への記録を可能とし、その記録を開始することとする。しかし、本発明はこれに限定されるものではなく、ダイアグデータを記録するレコーダ装置を車両外のセンタ等に搭載するものとし、車両にはそのダイアグデータをセンタ等へ送信するダイアグ処理装置を搭載するものとしてもよい。
【００６３】
かかる変形例の構成においては、車両使用者の自車両への接近が検知されたときに、その後に各ＥＣＵ１２から送られるそのダイアグデータのダイアグ処理装置での受信を、そのダイアグ処理装置への補助バッテリ２２からの電源供給により可能とし、その受信を開始することとする。そして、その受信がなされた後に、そのダイアグデータをダイアグ処理装置からセンタ等へ送信させ、センタ等のレコーダ装置に車両の異常動作状態を示すダイアグデータを記録させる。
【００６４】
また、上記の実施例においては、正規の車両使用者の自車両への接近を、自車両に対応する携帯機が車両近傍の予め定められた所定範囲に進入するか否かに基づいて検知することとしているが、車両ドアがロック状態からアンロックへ移行するか否かすなわち車両ドアのロックが解除されるか否かに基づいて検知することとしてもよいし、また、車両ドアがロック解除後に開けられたか否かに基づいて検知することとしてもよい。
【００６５】
更に、上記の実施例は、車両の動作状態を監視する処理として、各ＥＣＵ１２にその起動後、ダイアグ処理により車両の動作状態の異常が検出された場合にその異常動作状態を示すダイアグデータを通信バス１４へ送出させ、そのダイアグデータを車載レコーダ装置１０のデータ記憶部２０へ記録させるものであるが、本発明はこれに限定されるものではなく、車両の動作状態を監視する処理として、各ＥＣＵ１２にダイアグ処理自体すなわち車両の動作状態についての正常・異常の診断を実行させるものであってもよい。
【００６６】
かかる変形例の構成においては、車両使用者の自車両への接近が検知されたときに、＋Ｂ系ＥＣＵ１２においてダイアグ処理が開始され、車両の動作状態の診断が開始される。具体的には、その接近検知後、照合ＥＣＵ１２ａから通信バス１４を介して＋Ｂ系ＥＣＵ１２へウェイクアップ信号が送信され、そのウェイクアップ信号の受信により＋Ｂ系ＥＣＵ１２がスリープモードを解除して起動され、その起動後、ダイアグ処理が開始される。従って、アクセサリスイッチのオン操作や車両エンジンの始動前から、車両使用者の自車両への接近後の車両の動作状態を診断させることが可能である。
【００６７】
尚、この変形例において、車両使用者の自車両への接近が検知されたときにダイアグ処理が開始されるＥＣＵ１２を＋Ｂ系ＥＣＵ１２に限定することに限らず、ＡＣＣ系ＥＣＵ１２やＩＧ系ＥＣＵ１２に適用することとしてもよい。すなわち、車両使用者の自車両への接近が検知されたときにＡＣＣ系ＥＣＵ１２やＩＧ系ＥＣＵ１２に電源供給を行ってダイアグ処理を開始させることとしてもよい。
【図面の簡単な説明】
【００６８】
【図１】本発明の一実施例である車両用動作監視システムを備える車載通信ネットワークシステムの構成図である。
【図２】本実施例の車両用動作監視システムにおいて実行される制御ルーチンの一例のフローチャートである。
【符号の説明】
【００６９】
１０  車載レコーダ装置
１２  ＥＣＵ
１４  通信バス
１６  送受信機
２０  データ記憶部
２２  補助バッテリ
ＡＣＣ  アクセサリ電源
【図１】
2010064722.tif 000003
【図２】
2010064722.tif 000004